(57)【要約】【課題】ＵＳＢ／ＰＣカードをパソコンなどの表示装置に取り付けて、パソコンの表示画面に表示された操作にしたがって操作が行われるが、取り外しはデバイスの開放作業を強いられ、手順自体が非常に煩雑である。【解決手段】着脱可能なカードデバイスを取り外す際に、カードデバイスの取り外しを検知して、検知信号に対応して、デバイスの開放作業を自動的に実行して、カードデバイスを取り外し可能にすることを特徴とする。【選択図】図１
2008217323.tif 000002
【特許請求の範囲】
【請求項１】
着脱可能なデバイスを取り外す際に、前記デバイスの取り外しを検知し、前記検知信号に対応して、前記デバイスの開放作業を自動的に実行して、前記デバイスを取り外すことを特徴とするデバイスの取り外し制御方法。
【請求項２】
請求項１に記載のデバイスの取り外し制御方法において、
前記デバイス自体を取り外す際、指紋、又は周辺の温度で接触を検出して、自動的に前記デバイスの開放を行うことを特徴とするデバイスの取り外し制御方法。
【請求項３】
請求項１に記載のデバイスの取り外し制御方法において、
前記デバイス自体を取り外す際、前記デバイスの端子の摩擦による温度変化を検出して、自動的に前記デバイスの開放作業を行うことを特徴とするデバイスの取り外し制御方法。
【請求項４】
請求項１に記載のデバイスの取り外し制御方法において、
前記デバイス自体の端子に穴をあけて、該当部分にレーザーを投射しておき、
前記デバイスを取り外す際に、前記穴の部分で前記レーザーの反射角が変ることを検出して自動的に前記デバイスの開放作業を行うことを特徴とするデバイスの取り外し制御方法。
【請求項５】
装置からデバイスを取り外す際に、前記デバイスの取り外しを検知し、前記検知信号に対応して、前記デバイスの開放作業を自動的に実行して、前記デバイスを取り外すことを特徴とする着脱可能なデバイス。
【請求項６】
請求項５に記載の着脱可能なデバイスにおいて、
前記デバイス自体を取り外す際、指紋、又は周辺の温度で接触を検出して自動的に前記デバイスの開放を行うことを特徴とする着脱可能なデバイス。
【請求項７】
請求項５に記載の着脱可能なデバイスにおいて、
前記デバイス自体を取り外す際、前記デバイスの端子の摩擦による温度変化を検出して自動的に前記デバイスの開放作業を行うことを特徴とする着脱可能なデバイス。
【請求項８】
請求項５に記載の着脱可能なデバイスにおいて、
前記デバイス自体の端子に穴をあけて、該当部分にレーザーを投射しておき、
前記デバイスを取り外す際に、前記穴の部分で前記レーザーの反射角が変ることを検出して自動的に前記デバイスの開放作業を行うことを特徴とする着脱可能なデバイス。
【発明の詳細な説明】
【技術分野】
【０００１】
本発明は、ＵＳＢ／ＰＣカード等の着脱可能なデバイス及びデバイスの装置からの取り外し制御方法に関する。
【背景技術】
【０００２】
特許文献１には、着脱可能なカードデバイスの装着状態で該カードデバイスにアクセスする制御プログラムを実装した情報機器のカードデバイスの取り外し機構において、カードデバイスの取り外しイベントを検出するセンサと、前記カードデバイスへのアクセス状態において前記センサが取り外しイベントを検出したとき、前記制御プログラムが少なくとも当該アクセス状態を終了するまでカードデバイスの取り外しを不可能とする機構を有することを特徴とするカードデバイスの取り外し機構が記載されており、取り外しイベントを検出するセンサとして、エジェクトボタン等にセンサを設けることが開示されている。
【０００３】
近年、着脱可能なカードデバイスとして、上記のようなエジェクトボタン等を用いずに、取り付け、取り外しが可能なＵＳＢ／ＰＣカード等の利用が普及している。ＵＳＢ／ＰＣカードはどちらも取り付けた場合の検知は自動だが、取り外しはデバイスの開放作業を強いられる。
【０００４】
図４を用いて、従来技術であるＵＳＢ／ＰＣカードの取り外し時のデバイスの開放作業について説明する。図４において、ＵＳＢ／ＰＣカードを取り外す際には、まず、１）タスクバーの「ハードウェアの安全な取り外し」アイコンをダブルクリックし、２）「ＵＳＢ大容量記憶装置デバイス」をクリックして、「停止」をクリックし、３）「ＵＳＢ大容量記憶装置デバイス」をクリックし、「ＯＫ」をクリックすると、４）タスクバーに「ハードウェアの取り外し」のメッセージが表示され、「ハードウェアの安全な取り外し」画面を「閉じる」をクリックして閉じて、５）ＵＳＢ／ＰＣカードを実際に取り外すことが可能となっている。
【特許文献１】特開２００５−４４１４４号公報
【発明の開示】
【発明が解決しようとする課題】
【０００５】
上記の手順では、ＵＳＢ／ＰＣカードをパソコンなどの表示装置に取り付けて、パソコンの表示画面に表示された指示にしたがって操作が行われるが、取り外しに際しては、デバイスの開放作業についても一連の操作が強いられ、手順自体が非常に煩雑である。また、ＵＳＢ／ＰＣカードの使用が、パソコンだけでなく、テレビジョン装置、映像記録再生装置など広範囲な装置に拡大する場合に、表示画面に表示された操作に従ってＵＳＢ／ＰＣカードの取り外し作業を行うことが非常に困難になるという問題があった。
【０００６】
本発明は、ＵＳＢ／ＰＣカード等のカードデバイスの取り外し作業を容易にし、パソコンだけでなく、各種の装置におけるＵＳＢ／ＰＣカード等のカードデバイスの取り外し作業を容易にすることを目的とする。
【課題を解決するための手段】
【０００７】
本発明は、着脱可能なカードデバイスを取り外す際に、カードデバイスの取り外しを検知し、検知信号に対応して、デバイスの開放作業を自動的に実行して、カードデバイスを取り外すことを特徴とする。
【発明の効果】
【０００８】
本発明によれば、ＵＳＢ／ＰＣカード等のカードデバイスを単純に取り外すことが可能であり、カードデバイスの取り外し作業が容易になる。
【発明を実施するための最良の形態】
【０００９】
以下、図面を用いて、本発明の実施の形態について説明する。
【実施例１】
【００１０】
図１は、本発明の実施例１を示している。図１においては、ステップ１）において、利用者がＵＳＢ／ＰＣカード等のカードデバイスに接触すると、指紋、又は周辺温度を検出するように構成されている。次いで、ステップ２）において、指紋、又は周辺温度の検出に応じて、カードデバイスの開放作業が自動的に行われる。
【００１１】
ステップ２）の開放作業では、ａ）タスクバーの「ハードウェアの安全な取り外し」アイコンのダブルクリック、ｂ）「ＵＳＢ大容量記憶装置デバイス」のクリック、「停止」のクリック、ｃ）「ＵＳＢ大容量記憶装置デバイス」のクリック、「ＯＫ」のクリックに対応する操作が自動的に実行される。
【００１２】
なお、アイコンやボタンのクリック等の操作を自動的に行うには、ユーザーが指定したキーを押すことで、アイコンやボタンを押した際に裏で行っている処理を行うためのUnhotplugというソフトウェア、あるいは、ＵＳＢメモリにファイルを置き、それを実行することで、処理を行うUnplugDrive Portableといったソフトウェアなどが既に知られている。
【００１３】
次いで、ステップ（３）において、タスクバーに「ハードウェアの取り外し」のメッセージを表示し、操作者が「ハードウェアの安全な取り外し」画面の「閉じる」をクリックして閉じると、表示は自動的に消える。
【００１４】
このような手順を経て、ステップ（４）においてＵＳＢ／ＰＣカードを実際に取り外すことが可能になる。
【実施例２】
【００１５】
図２は、本発明の実施例２を示している。図２においては、ステップ（１）において、利用者がＵＳＢ／ＰＣカード等のカードデバイスに外すと、カードデバイスを外す際の摩擦による温度変化を検出する。次いで、ステップ（２）において、摩擦による温度変化を検出信号に応じて、カードデバイスの開放作業が自動的に行われる。
【００１６】
ステップ（２）の開放作業では、ａ）タスクバーの「ハードウェアの安全な取り外し」アイコンのダブルクリック、ｂ）「ＵＳＢ大容量記憶装置デバイス」のクリック、「停止」のクリック、ｃ）「ＵＳＢ大容量記憶装置デバイス」のクリック、「ＯＫ」のクリックの操作が自動的に実行される。
【００１７】
次いで、ステップ（３）において、タスクバーに「ハードウェアの取り外し」のメッセージを表示し、操作者が「ハードウェアの安全な取り外し」画面の「閉じる」をクリックして閉じると、表示は自動的に消える。この状態では、ＵＳＢ／ＰＣカードは実際に取り外された状態になっている。
【実施例３】
【００１８】
図３は、本発明の実施例３を示している。図３において、デバイス自体の端子に穴を開けて、該当部分にレーザーを投射しておく。デバイスを外す際に、穴の部分でレーザー角の反射角が変わることで自動的にデバイスの開放を行う。
【００１９】
ステップ（１）において、利用者がＵＳＢ／ＰＣカード等のカードデバイスに外すと、レーザーの反射角が変わりカードデバイスの取り外しを検出する。次いで、ステップ（２）において、レーザーの反射角の変化によるカードデバイスの取り外しの検出信号に応じて、カードデバイスの開放作業が自動的に行われる。
【００２０】
ステップ（２）の開放作業では、ａ）タスクバーの「ハードウェアの安全な取り外し」アイコンのダブルクリック、ｂ）「ＵＳＢ大容量記憶装置デバイス」のクリック、「停止」のクリック、ｃ）「ＵＳＢ大容量記憶装置デバイス」のクリック、「ＯＫ」のクリックが自動的に実行される。
【００２１】
次いで、ステップ（３）において、タスクバーに「ハードウェアの取り外し」のメッセージを表示し、操作者が「ハードウェアの安全な取り外し」画面の「閉じる」をクリックして閉じると、表示は自動的に消える。この状態では、ＵＳＢ／ＰＣカードは実際に取り外された状態になっている。
【図面の簡単な説明】
【００２２】
【図１】図１は、本発明の実施例１のデバイスの取り外し作業の手順を示す図である。
【図２】図２は、本発明の実施例２のデバイスの取り外し作業の手順を示す図である。
【図３】図３は、本発明の実施例３のデバイスの取り外し作業の手順を示す図である。
【図４】図４は、従来明のデバイスの取り外し作業の手順を示す図である。
【符号の説明】
【００２３】
１    表示装置
２    ＵＳＢ／ＰＣカード
【図１】
2008217323.tif 000003
【図２】
2008217323.tif 000004
【図３】
2008217323.tif 000005
【図４】
2008217323.tif 000006